(57)【要約】【課題】サイドロック式スライドレールの自動オープン装置を提供する。【解決手段】サイドロック式スライドレールの自動オープン装置は少なくとも固定レール１、可動レール２、中スライドレール９、スライドブロック４、定位部材６、フックブロック４０、連動部材２０、少なくとも１個の第一スプリング５、第二スプリング６０及び自動オープン台３等の構成部材を備えて組成される。抽斗が予定の位置まで閉まっていない時には、使用者が加える力の大きさに応じて、定位部材６の定位柱６１のラチェット爪６１１が第二スプリング６０の弾性圧力に対応し、その中のラチェット３１３に隨意一時停止し、一時的に定位される。これにより抽斗は弾かれることはなく、使用者は軽く抽斗を閉めるだけで良く、自動オープン機能を確実に達成できる。【選択図】図８
2017060728.tif 000002
【特許請求の範囲】
【請求項１】
サイドロック式スライドレールの自動オープン装置は、少なくとも固定レール、可動レール、中スライドレール、スライドブロック、定位部材、フックブロック、連動部材、第一スプリング、第二スプリング、自動オープン台を備え、
該固定レールは、キャビネットの側壁に固定され、
該可動レールは、該固定レールに可動するように設置され、該固定レールに相対し前方、後方へとスライド移動し、該可動レールは、抽斗と接合して固定され、抽斗を連動し前方、後方へとスライド移動させ、
該中スライドレールは、該固定レールと該可動レールとの間にスライドして入り、該固定レールに相対し前方、後方へスライド移動し、
該スライドブロックは、スライド槽を備え、該自動オープン台に滑り入り、該自動オープン台に可動するように設置され、該自動オープン台の前方、後方に相対して移動し、該スライドブロックは、第一枢接槽を備え、該フックブロックを枢接し、該スライドブロックの後側には、第二枢接槽を備え、定位部材を枢接し、該スライドブロックは、少なくとも１個の定位部を備え、該第一スプリングの一端と連接し、該スライドブロックには別に、第二スプリング定位部を設置し、該第二スプリングの一端により定位され、
該定位部材は前側に、第二ピボットを設置し、該スライドブロックの第二枢接槽と枢接し、該定位部材の後側には、定位柱を備え、しかも該定位柱の片側には、ラチェット爪を備え、該定位部材の後側には、接触柱をさらに設置し、該第二スプリングの反対端に接触し、これにより該第二スプリングは定位柱のラチェット爪に随時弾性圧力を加え、
該フックブロックには、第一ピボットを設置し、該スライドブロックの第一枢接槽と枢接し、該フックブロックは、フック部を備え、該フックブロックには、係止部をさらに設置し、
該連動部材は、該可動レールの片側に設置し、該スライドブロックに枢設するフックブロックを連動し、
該少なくとも１個の第一スプリングの一端と該スライドブロックの定位部とは連接し、該第一スプリングの反対端は、該自動オープン台の後側に接続し、
該第二スプリングの一端と該スライドブロックの第二スプリング定位部の片側とは定位し、その反対端は、該定位部材の接触柱に接触し、しかも該第二スプリングの弾性圧力は、該第一スプリングの弾性圧力より小さく、
該自動オープン台は、該固定レールの底面に接合して固定され、該自動オープン台には、少なくとも１個のガイドブロックを設置し、該スライドブロックに滑り入れられ、該自動オープン台には、導引槽を設置し、該フックブロックのスライド移動を導引し、該自動オープン台の内面には、少なくとも１個の導入槽道を設置し、導出槽道及び係合ロック槽道を導出し、該係合ロック槽道は、係合ロック槽を別に備え、該係合ロック槽道の両側は、該導入槽道の後側及び該導出槽道後側とそれぞれつながり、これにより該スライドブロックに枢設する定位部材の定位柱は、該導入槽道の前側から導入され、後方へと移動し、該係合ロック槽道の係合ロック槽に係合ロックされ、或いは該係合ロック槽より離脱し導出槽道に沿って、該導出槽道の出口より導出され、該自動オープン台を離脱し、該自動オープン台の前側入口位置と後側出口端との間には、一列のラチェットを備え、該定位部材の定位柱のラチェット爪により、その中のラチェットを引っ掛け、該自動オープン台には、少なくとも１個のスプリングサポート柱を設置し、これに該スプリングをかぶせ、これにより該スプリングが圧力を受けた時の安定性を維持することを特徴とするサイドロック式スライドレールの自動オープン装置。
【請求項２】
前記スライドブロックに設置する第二スプリング定位部は、槽孔で、これに該第二スプリングを入れ、該第二スプリングの一端により、該槽孔内の一端の内壁に接触し、
該槽孔には、該定位部材の接触柱が伸び入り、しかも該接触柱により、該第二スプリングの反対端に接触することを特徴とする請求項１に記載のサイドロック式スライドレールの自動オープン装置。
【請求項３】
前記スライドブロックの第二スプリング定位部は、突出嵌接軸で、これにより該第二スプリングの一端を連接し、
さらに、該第二スプリングの反対端により、該定位部材の接触柱は連接されることを特徴とする請求項１に記載のサイドロック式スライドレールの自動オープン装置。
【請求項４】
前記フックブロックの前端には、制限片を突出し、該中スライドレールが前後方へとスライド移動し、該フックブロック前側に接触すると、該制限片は、該中スライドレール後端の内面により遮られることを特徴とする請求項１に記載のサイドロック式スライドレールの自動オープン装置。
【発明の詳細な説明】
【技術分野】
【０００１】
本発明はサイドロック式スライドレールの自動オープン装置に関し、特に抽斗が予定の位置まで閉まっていない時には、定位部材のラチェット爪が一列のラチェットの中のラチェット位置に掛かり、再び軽く抽斗を押すだけで、完全に閉めることができ、自動オープン機能を確保でき、自動オープン台を後方へと奥まで押した時の弾き戻りを回避できるサイドロック式スライドレールの自動オープン装置に関する。
【背景技術】
【０００２】
従来の自動オープン機能を備えるスライドレールは抽斗を閉める時、抽斗が予定の位置まで閉まっていなければ、抽斗は弾かれ自動オープン作用を失ってしまう。
【０００３】
例えば、特許文献１に開示する「隠れ抽斗スライドレールの自動オープンと自動クローズ緩衝装置」では、抽斗が予定の位置まで閉まっていなければ、スイング部材の定位柱は自動オープンコントロール部材の係合ロック槽に定位されない。
【０００４】
こうして、抽斗は弾性パーツの弾力により弾かれ、しかも次の自動オープン機能を達成することができない。
【０００５】
特許文献２に開示する「抽斗スライドレールの自動オープン装置」は同様に、抽斗が設定位置まで閉まっていなければ、そのスイングバーの定位軸はスライドブロックの係合ロック槽道の係合ロック部に定位されず、こうして抽斗はスプリングの弾力に弾かれ、しかも下の自動オープン機能を達成することができない。
【０００６】
本出願人による特許文献３に開示する「サイドロック式スライドレールの自動オープン装置」では、自動オープン台の導入槽道は非直線で、しかも幾つかの屈曲部を備える槽道を有する。
【０００７】
その前側入口位置と後側出口端との間には、数個の一時停止係合槽を形成し、定位部材の定位柱を案内して数個の一時停止係合槽の内の一つに導入する。
【先行技術文献】
【特許文献】
【０００８】
【特許文献１】台湾実用新案登録第Ｍ３９６０４９号
【特許文献２】台湾実用新案登録第Ｍ３９４０４６号
【特許文献３】台湾特許公開第２０１５３１２６５号
【発明の概要】
【発明が解決しようとする課題】
【０００９】
前記先行技術には以下の欠点がある。  
（１）各一時停止係合槽は間隔距離が大きく、しかも定位部材の定位柱は圧縮の弾性力により弾き戻り、一時停止係合槽にぶつかるため、ある程度の期間の使用後には定位部材の定位柱或いは自動オープン台の一時停止係合槽が損壊しやすく、特にその可動レールが固定される抽斗或いは搭載体は負荷を受けるため、定位柱が一時停止係合槽にぶつかる時の損壊の可能性がより高まり、使用寿命を縮めてしまう。
【００１０】
（２）使用者が抽斗を閉め、自動オープン台が後へと奥まで押されると、定位部材のピボットの公差が大きすぎる、或いは制動オイルの不足のため、定位部材の定位柱が下方へと落ち回転が偏移し、定位部材の定位柱がもとのルート（即ちもとの導入槽道）へと弾き戻り、自動オープン機能を失ってしまう。
【００１１】
（３）中スライドレールが前から後へとスライドすると、使用者の施力が大きすぎることで、中スライドレールの後端がフックブロック前側にぶつかり、フックブロックが跳ね上がり、或いは偏移して故障してしまう。
【課題を解決するための手段】
【００１２】
本発明の第一の目的は、抽斗が予定の位置まで閉まっていない時には、使用者が加える力の大きさの違いに応じて、定位部材の定位柱のラチェット爪は第二スプリングの弾性圧力に対応し、その中のラチェットに隨意一時停止し一時的に定位され、これにより抽斗は弾かれず、使用者はさらに軽く抽斗を閉めるだけでよく、自動オープン機能を確保できるサイドロック式スライドレールの自動オープン装置を提供することである。
【００１３】
本発明の第二の目的は、自動オープン台のラチェットとラチェットとの間との間隔距離は小さいため、第二スプリングの弾性圧力により長時間使用後の定位部材の定位柱が、弾力衝突により定位部材或いは自動オープン台を損壊することがなく、使用寿命を延長できるサイドロック式スライドレールの自動オープン装置を提供することである。
【００１４】
本発明の第三の目的は、自動オープン台が後方へと奥まで押されても、定位部材の定位柱は偏移せず、公差が大きすぎることで落下方向へ向かい、或いは制動オイル不足により、導入槽道のもとのルートへ弾き戻ることがないため、自動オープン機能をさらに確実にできるサイドロック式スライドレールの自動オープン装置を提供することである。
【発明の効果】
【００１５】
本発明のサイドロック式スライドレールの自動オープン装置は、抽斗が予定の位置まで閉まっていない時には、定位部材のラチェット爪が一列のラチェットの中のラチェット位置に掛かり、再び軽く抽斗を押すだけで、完全に閉めることができ、自動オープン機能を確保でき、自動オープン台を後方へと奥まで押した時の弾き戻りを回避できる。
【図面の簡単な説明】
【００１６】
【図１】本発明実施例による自動オープン装置の立体分解図である。
【図２】本発明実施例による自動オープン装置の立体組合せ拡大図である。
【図３】本発明実施例によるスライドブロック、フックブロック、定位部材と第二スプリングの底視立体分解拡大図である。
【図４】本発明実施例による自動オープン装置の第一スプリングの被圧縮状態の立体組合せ拡大図である。
【図５】本発明実施例による自動オープン装置の自動オープン台の俯視平面拡大図である。
【図６】本発明実施例による自動オープン装置をスライドレールに設置する立体模式図である。
【図７】本発明実施例による内スライドレールが後方へ向かいちょうどフックブロックに接触する俯視平面組合せ図である。
【図８】本発明実施例による定位部材の定位柱が係合ロック槽道に導入される様子を示す俯視平面拡大模式図である。
【図９】本発明実施例による定位部材の定位柱が係合ロック槽道から離脱したばかりの様子を示す俯視平面拡大模式図である。
【図１０】本発明実施例による定位部材の定位柱が係合ロック槽道から離脱し、導出槽道に従い導出される様子を示す俯視平面拡大模式図である。
【図１１】本発明実施例による定位部材の定位柱が係合ロック槽道を離脱し完全に導出された様子を示す俯視平面拡大模式図である。
【図１２】本発明実施例による定位部材の定位柱のラチェット爪がその中１個のラチェットにまだ係入していない様子の俯視平面拡大模式図（中スライドレールと内スライドレールは図示なし）である。
【図１３】本発明実施例による定位部材の定位柱のラチェット爪がその中の１個のラチェットに係入した様子の俯視平面拡大模式図（中スライドレールと内スライドレールは図示なし）である。
【図１４】本発明実施例による定位部材の定位柱のラチェット爪が別の位置のラチェットに係入した様子の俯視平面拡大模式図（中スライドレールと内スライドレールは図示なし）である。
【図１５】本発明実施例による自動オープン台が後方へと奥まで押された時の俯視平面拡大模式図（中スライドレール、内スライドレール、第一スプリング、スライドブロックは図示なし）である。
【図１６】本発明実施例による中スライドレールが後方へと移動するが、フックブロックにまだ接触していない様子を示す部分立体拡大模式図である。
【図１７】本発明実施例による中スライドレールが後方へと移動し、しかもその後端内面がフックブロックの制限片の後の部分を遮る様子の立体拡大模式図である。
【図１８】本発明実施例によるスライドブロック、フックブロック、定位部材と第二スプリングの別の角度の底視立体分解拡大図である。
【図１９】本発明実施例によるスライドブロック、フックブロック、定位部材と第二スプリングの別の角度の底視立体組合せ拡大図である。
【図２０】本発明実施例によるスライドブロック、フックブロック、定位部材と第二スプリングの底視平面再拡大図である。
【発明を実施するための形態】
【実施例】
【００１７】
図１〜図２０に示すように、本発明によるサイドロック式スライドレールの自動オープン装置は、少なくとも固定レール１、可動レール２、中スライドレール９、スライドブロック４、定位部材６、連動部材２０、第一スプリング５、第二スプリング６０、自動オープン台３を備える。
【００１８】
該固定レール１（図７〜図１７参照）は、キャビネット（図示なし）の側壁に固定する。
【００１９】
該可動レール２（図７〜図１７参照）は、該固定レール１に可動するように設置され、該固定レール１に相対し前方、後方へとスライド移動する。
【００２０】
該可動レール２は抽斗（図示なし）と接合して固定され、抽斗を連動し前方、後方へとスライド移動させる。
【００２１】
該中スライドレール９（図７〜図１７参照）は、該固定レール１と該可動レール２との間にスライドして入れ、該固定レール１に相対し前方、後方へスライド移動する。
【００２２】
該スライドブロック４（図１〜図２０参照）は、スライド槽４５を備え、自動オープン台３に滑り入り、該自動オープン台３に可動するように設置され、該自動オープン台３の前方、後方に相対して移動する。
【００２３】
該スライドブロック４は、第一枢接槽４１を備え、フックブロック４０を枢接し、該スライドブロック４の後側には、第二枢接槽４２を備え、定位部材６を枢接する（図１、図３、図７〜図２０参照）。
【００２４】
該スライドブロック４は、少なくとも１個の定位部４４を備え（図１〜図２、図４参照）、第一スプリング５の一端５１と連接し、該スライドブロック４には別に、第二スプリング定位部４３を設置し（図１８、図２０参照）、該第二スプリング６０の一端６０１により定位される。
【００２５】
該定位部材６は前側に、第二ピボット６２を設置し（図３、図１８〜図２０参照）、該スライドブロック４の第二枢接槽４２と枢接する。
【００２６】
該定位部材６の後側には、定位柱６１を備え、しかも該定位柱６１の片側には、ラチェット爪６１１を備える（さらに図３、図８〜図１８、図２０参照）。
【００２７】
該定位部材６の後側には、接触柱６３をさらに設置し、該第二スプリング６０の反対端６０２に接触し（さらに図１、図３、図１８、図２０参照）、これにより該第二スプリング６０は定位柱６１のラチェット爪６１１に随時弾性圧力を加える。
【００２８】
該フックブロック４０には、第一ピボット４０３を設置し（図１、図３、図１８〜図２０参照）、スライドブロックの第一枢接槽４１と枢接する。
【００２９】
該フックブロック４０は、フック部４０１を備え、該フックブロック４０には、係止部４０２をさらに設置する（図１〜図４参照）。
【００３０】
該連動部材２０（図７〜図１１参照）は、該可動レール２の片側に設置し、該スライドブロック４に枢設するフックブロック４０を連動する。
【００３１】
該少なくとも１個の第一スプリング５の一端５１と該スライドブロック４の定位部４４とは連接し、該第一スプリング５の反対端５２（図１〜図４参照）は、該自動オープン台３の後側に接続する。
【００３２】
該第二スプリング６０の一端６０１と該スライドブロック４の第二スプリング定位部の片側４３１とは定位し、その反対端６０２は、該定位部材６の接触柱６３に接触し、しかも該第二スプリング６０の弾性圧力は、該第一スプリング５の弾性圧力より小さい。
【００３３】
該自動オープン台３（図１〜図２、図４〜図１７参照）は、該固定レール１の底面１１に接合して固定される（図６参照）。
【００３４】
該自動オープン台３には、少なくとも１個のガイドブロック３０を設置し（図１〜図５参照）、該スライドブロック４に滑り入れられる。
【００３５】
該自動オープン台３には、導引槽３５を設置し（図１、図４〜図５参照）、該フックブロック４０のスライド移動を導引する。
【００３６】
該自動オープン台３の内面には、少なくとも１個の導入槽道３１を設置し（さらに図５参照）、導出槽道３２及び係合ロック槽道３３を導出する。
【００３７】
該係合ロック槽道３３は、係合ロック槽３３１を別に備え、該係合ロック槽道３３の両側は、該導入槽道３１の後側及び該導出槽道３２後側とそれぞれつながる。
【００３８】
これにより、該スライドブロック４に枢設する定位部材６の定位柱６１は、該導入槽道３１の前側から導入され（図７参照）、後方へと移動し、該係合ロック槽道３３の係合ロック槽３３１に係合ロックされ（さらに図８参照）、或いは該係合ロック槽３３１より離脱し（さらに図９〜図１０参照）、導出槽道３２に沿って、該導出槽道３２の出口３２１より（図５、図１１参照）導出され、該自動オープン台３を離脱する（さらに図１１参照）。
【００３９】
該自動オープン台３の前側入口位置３１１（図５参照）と後側出口端３１２（図５参照）との間には、一列のラチェット３１３を備え（さらに図５、図１２〜図１５参照）、該定位部材６の定位柱６１のラチェット爪６１により、その中のラチェット３３を引っ掛ける（図１３、図１４参照）。
【００４０】
該自動オープン台３には、少なくとも１個のスプリングサポート柱３６を設置し（図１〜図２、図４〜図１７参照）、これに該スプリング５をかぶせ、これにより該スプリング５が圧力を受けた時の安定性を維持する。
【００４１】
さらに、該スライドブロック４に設置する第二スプリング定位部４３は本実施例では槽孔（図３参照）で、これに該第二スプリング６０を入れ、該第二スプリング６０の一端６０１により、該槽孔内の一端の内壁に接触する。
【００４２】
該槽孔には、該定位部材６の接触柱６３が伸び入り、しかも該接触柱６３により該第二スプリング６０の反対端６０２に接触する。
【００４３】
該第二スプリング定位部４３は、等価運用の変化を行うことができ、例えば、該第二スプリング定位部４３は、突出嵌接軸とでき、これにより該第二スプリング６０の一端６０１を連接し、さらに該第二スプリング６０の反対端６０２により、該定位部材６の接触柱６３連接される。
【００４４】
該フックブロック４０の前端には、制限片４０４を突出し（図１６参照）、該中スライドレール９が前後方へとスライド移動し、該フックブロック４０前側に接触すると、該制限片４０４は、該中スライドレール９後端９１の内面により遮られ（図１７参照）、該中スライドレール９が後方へとスライド移動し、使用者が力を入れすぎ、該フックブロック４０前側にぶつかっても、該フックブロック４０の移動或いは跳ね上がりにより、フックブロック４０の機能に影響が及ぶことを回避できる。
【００４５】
前記構成部材の組成により、抽斗（図示なし）がクローズ状態を呈すると、該抽斗に固定連結される可動レール２に設置される連動部材２０は、該スライドブロック４に枢設するフックブロック４０のフック部４０１と引っかかり定位される（さらに図８参照）。
【００４６】
該定位部材６の定位柱６１は、該自動オープン台３の係合ロック槽道３３の係合ロック槽３３１に係合ロックされる（図８参照）。
【００４７】
抽斗の前面が押され、後方へとスライド移動すると、該抽斗に固定して接合される可動レール２の連動部材２０により、該フックブロック４０のフック部４０１後側を後方へと移動させられ、これにより該フックブロック４０は、該スライドブロック４と共に後方へとスライド移動する。
【００４８】
しかも同時、該スライドブロック４に枢設する定位部材６の定位柱６１は、該自動オープン台３内面の係合ロック槽道３３の係合ロック槽３３１より離脱（図９参照）し、前方へと導出槽道３２に沿い（図１０参照）、該導出槽道３２の出口３２１より（図１１参照）導出され、該スライドブロック４を離れる。
【００４９】
該スライドブロック４は、該スプリング５の弾性力により、前方へとスライド移動し、該スライドブロック４は、枢接するフックブロック４０と共に、該自動オープン台３の導槽３１に沿って前方へスライド移動する。
【００５０】
該フックブロック４０が該自動オープン台３の導引槽３５に導引されて回り、しかも回った後のフックブロック４０は、該連動部材２０をフックブロック４０のフック部４０２から離脱させ、これにより該可動レール２と、それが連結する抽斗は前方へスライド移動したオープン状態を呈し、自動オープンの目的を達成する。
【００５１】
しかも、該スライドブロック４は、該スプリング５の回復力を利用し前方へスライド移動すると同時に、該自動オープン台３内面の導出槽道３２もまた後方へと導引され、これにより該定位部材６の定位柱６１は、該自動オープン台３の導入槽道３１の前側にちょうど位置する。
【００５２】
また、抽斗が、使用完了により後方へと押され元の位置を回復すると、抽斗に固定連結される可動レール２に設置される連動部材２０により、後方へとフックブロック４０のフック部４０１後側を押し、これにより該フックブロック４０は回り、該フックブロック４０はスライドブロック４と共に後方へとスライド移動する。
【００５３】
しかも同時に、該スライドブロック４により、該第一スプリング５を後方へと圧縮し、これにより該自動オープン台３内面の導入槽道３１は、該定位部材６の定位柱６１を、導入槽道３１より導入する。
【００５４】
さらに、該定位部材６の定位柱６１は、係合ロック槽道３３の係合ロック槽３３１に係合ロックされ（図８参照）、該自動オープン台３を係合ロックして定位し、抽斗のクローズ状態を回復し、抽斗が次に押された時の自動オープン動作に備える。
【００５５】
使用者が力を加え抽斗を押し戻して閉めても、該定位部材６の定位柱６１は、導入槽道３１より係合ロック槽道３３の係合ロック槽３３１に直接導入されない時には、抽斗は第一スプリング５の力に従い前方へ弾かれることはなく、該定位部材６の定位柱６１の片側ラチェット爪６１１は、該第二スプリング６０の弾性圧力によるため、ラチェット爪６１１はそのまま該自動オープン台３の一列のラチェット３１３の中のラチェット３１３に係入する。
【００５６】
図１３〜図１４に示すように、使用者が力を入れて抽斗を押し戻し閉じる力の大きさに従い、ラチェット爪６１１は異なる前後位置のラチェット３１３に随時引っかかり、一時停止する。
【００５７】
この時、使用者は再び軽く力を加え、抽斗を押し戻すだけで、該定位部材６の定位柱６１は係合ロック槽道３３の係合ロック槽３３１に係合ロックされ（図８参照）、正しい抽斗のクローズ動作を完成でき、次に使用者が抽斗を軽く押した時の自動オープン機能を確保することができる。
【００５８】
上記を総合すると、本発明は以下の効果を備える。  
（１）抽斗が予定の位置まで閉まっていない時には、使用者が加える力の強さの違いに連れて、定位部材６の定位柱６１のラチェット爪６１１が第二スプリング６０の弾性圧力に対応することで、その中のラチェット３１３に隨意に一時停止し（図１２はラチェット爪６１１が未係入の模式図で、図１３、図１４はラチェット爪６１１が違う位置に係入する様子を示す模式図）、これにより抽斗は弾かれず、使用者は次に軽く抽斗を閉めるだけでよく、自動オープン機能を確保することができる。自動オープン台３のラチェット３１３とラチェット３１３との間との間隔距離は小さいため、第二スプリング６０の弾性圧力により、長時間使用後の定位部材６の定位柱６１が、弾力衝突により定位部材６或いは自動オープン台３を損壊することはなく、使用寿命を延長することができる。
【００５９】
（２）使用者が抽斗を閉め、自動オープン台３は後方へと奥まで押されると（図１５参照）、定位部材６の定位柱６１のラチェット爪６１１がすでに自動オープン台３最後端のラチェット３１３を離脱していたとしても、第二スプリング６０の弾性圧力により、定位部材６は偏移することはない。つまり、定位部材６の第二ピボット６２の公差が大きすぎることで偏り、或いは落下方向、或いは制動オイル不足等の要因により、定位柱６１が導入槽道３１のもとのルートへと弾き戻ることはなく（正常な状態では、自動オープン台３が後方へと奥まで押されると、弾性圧力がより大きい第一スプリング５の弾性回復力により、定位柱６１はさらに前方へ係合ロック槽道３３１の係合ロック槽３３に係合ロックされる。図８参照）、さらに自動オープン機能を確実に達成できる。
【００６０】
（３）フックブロック４０の前端には、制限片４０４を突出し、これにより中スライドレール９において、前後方へとスライド移動（図１６参照）し、フックブロック４０前側に触れると、制限片４０４は中スライドレール９後端９１の内面により遮られ（図１７参照）、中スライドレール９が後方へとスライド移動し、使用者が力を入れすぎ、フックブロック４０前側にぶつかっても、フックブロック４０の移動或いは跳ね上がりにより、フックブロック４０の機能に影響が及ぶことを回避できる。
【産業上の利用可能性】
【００６１】
本発明は特許登録の要件である新規性を備え、従来の同類製品に比べ十分な進歩を有し、実用性が高く、社会のニーズに合致しており、産業上の利用価値は非常に大きい。
【符号の説明】
【００６２】
１  固定レール
１１  底面
２  可動レール
２０  連動部材
３  自動オープン台
３０  ガイドブロック
３１  導入槽道
３１１  前側入口位置
３１２  後側出口端
３１３  ラチェット
３２  導出槽道
３２１  出口
３３  係合ロック槽道
３３１  係合ロック槽
３５  導引槽
３６  スプリングサポート柱
４  スライドブロック
４０  フックブロック
４０１  フック部
４０２  係止部
４０３  第一ピボット
４０４  制限片
４１  第一枢接槽
４２  第二枢接槽
４３  第二スプリング定位部
４３１  片側
４４  定位部
４５  スライド槽
５  第一スプリング
５１、６０１  一端
５２、６０２  反対端
６  定位部材
６０  第二スプリング
６１  定位柱
６１１  ラチェット爪
６２  第二ピボット
６３  接触柱
９  中スライドレール
９１  後端
【図１】
2017060728.tif 000003
【図２】
2017060728.tif 000004
【図３】
2017060728.tif 000005
【図４】
2017060728.tif 000006
【図５】
2017060728.tif 000007
【図６】
2017060728.tif 000008
【図７】
2017060728.tif 000009
【図８】
2017060728.tif 000010
【図９】
2017060728.tif 000011
【図１０】
2017060728.tif 000012
【図１１】
2017060728.tif 000013
【図１２】
2017060728.tif 000014
【図１３】
2017060728.tif 000015
【図１４】
2017060728.tif 000016
【図１５】
2017060728.tif 000017
【図１６】
2017060728.tif 000018
【図１７】
2017060728.tif 000019
【図１８】
2017060728.tif 000020
【図１９】
2017060728.tif 000021
【図２０】
2017060728.tif 000022